(57)【要約】【課題】本発明の課題は、フライ用の油脂組成物を簡便かつ迅速に分析する技術を提供することである。【解決手段】本発明によって、フライ用油脂組成物の油ちょうによる劣化度合いを評価する方法が提供される。本発明は、フライ用油脂組成物のサンプルについて、４５００〜４９００ｃｍ−１の全部または一部の波数領域における近赤外分光スペクトルを測定する工程、４５００〜４９００ｃｍ−１の全部または一部の波数領域における近赤外分光スペクトルを用いてあらかじめ作成しておいた検量モデルに基づいて、測定した近赤外分光スペクトルからフライ用油脂組成物サンプルの酸価を算出する工程、を含む。【選択図】図１
2018205226.tif 000002
【特許請求の範囲】
【請求項１】
フライ用油脂組成物の油ちょうによる劣化度合いを評価する方法であって、
フライ用油脂組成物のサンプルについて、４５００〜４９００ｃｍ−１の全部または一部の波数領域における近赤外分光スペクトルを測定する工程、
４５００〜４９００ｃｍ−１の全部または一部の波数領域における近赤外分光スペクトルを用いてあらかじめ作成しておいた検量モデルに基づいて、測定した近赤外分光スペクトルからフライ用油脂組成物サンプルの酸価を算出する工程、
を含む、上記方法。
【請求項２】
前記フライ用油脂組成物が、２種以上の油脂を含んでなる、請求項１に記載の方法。
【請求項３】
透過法によって近赤外分光スペクトルを測定する、請求項１または２に記載の方法。
【請求項４】
前記検量モデルが、油脂組成の異なる複数のフライ用油脂組成物について、劣化度合いの異なる複数のサンプルの近赤外分光スペクトルを４５００〜４９００ｃｍ−１の全部または一部の波数領域において測定するとともに、同じサンプルについて理化学的に酸価を定量した上で、測定した近赤外分光スペクトルデータと定量した酸価とから作成されるものである、請求項１〜３のいずれかに記載の方法。
【請求項５】
４６００〜４８００ｃｍ−１の全部または一部の波数領域において近赤外分光スペクトルを測定する、請求項１〜４のいずれかに記載の方法。
【請求項６】
劣化度合いを評価するフライ用油脂組成物から揚げかすを除いてから近赤外分光スペクトルを測定する、請求項１〜５のいずれかに記載の方法。
【請求項７】
フライ用油脂組成物の油ちょうによる劣化度合いを評価する装置であって、
フライ用油脂組成物のサンプルについて、４５００〜４９００ｃｍ−１の全部または一部の波数領域における近赤外分光スペクトルを測定する分光分析部、
４５００〜４９００ｃｍ−１の全部または一部の波数領域における近赤外分光スペクトルを用いてあらかじめ作成しておいた検量モデルに基づいて、測定した近赤外分光スペクトルからフライ用油脂組成物サンプルの酸価を算出する計算部、
を備えた、上記装置。
【発明の詳細な説明】
【技術分野】
【０００１】
本発明は、近赤外分光分析を用いたフライ用油脂組成物の分析技術に関する。特に本発明は、近赤外分光分析を用いたフライ用油脂組成物の酸価測定法およびフライ用油脂組成物の管理方法に関する。
【背景技術】
【０００２】
食用油脂の一つとして、油ちょうに用いられるフライ用油脂組成物（フライ油）が知られている。フライ油は、熱や酸素による酸化反応と、油ちょうによる水分と熱による加水分解反応とが複合的に重なり合うため、劣化が速く進行し、揚げ物の風味や外観に悪影響を及ぼす。そのため、フライ油の状態をきちんと管理し、適切な時期にフライ油を交換することが重要である。一般にフライ油の劣化は、油ちょうの際の水分によって遊離脂肪酸（ＦＦＡ）が増加したり、油脂重合物や芳香化合物が増加したりすることが原因とされており、フライ油の酸価や色、油脂重合物の量などによってフライ油の劣化度合いが評価される。
【０００３】
フライ油の劣化度を評価する指標として用いられる酸価（１ｇの油脂に含まれる酸を中和するのに必要な水酸化カリウム量）はアルカリ滴定法によって測定されるが、アルカリ滴定法は実験手順が煩雑であり、試薬等を使用するため、調理加工の現場などにおいて簡便に酸価を測定することは難しい。フライ油の酸価を簡便に測定する方法として、酸価試験紙を使用する方法が知られているが、この方法は簡便であるものの、試験紙を油に浸けてその色の変化で酸価を判定するものであり、測定精度が高いとはいえない。
【０００４】
その他に、ガスクロマトグラフィーや液体クロマトグラフィーを利用して油脂の劣化を評価したり、酵素を用いた比色分析やフーリエ変換赤外分光法（ＦＴ−ＩＲ）によって油脂の劣化を評価したりすることが知られているが、事前に油脂の抽出工程が必要となるなど、迅速分析法として運用することは難しかった。
【０００５】
近年、迅速な非破壊分析法として近赤外分光法（ＮＩＲ法）が食品分野においても利用されている。近赤外分光法は試料に近赤外光を照射して得られた散乱光や透過光のスペクトルから試料の物理的または化学的性質についての情報を得る手法であり、試料中の特定成分含量を、試料を破壊することなく、極めて短時間で予測することが可能である。例えば、特許文献１には、米油に含まれる遊離の脂肪酸を定量するために近赤外分光分析を用いることが記載されている。また、非特許文献１には、近赤外分光分析によってパーム油の酸価を測定することが記載されており、最も良い波長の組み合わせは１８８２ｎｍ、２０１０ｎｍ、２０４０ｎｍで（波数：約５３１３ｃｍ−１、約４９７５ｃｍ−１、約４９０２ｃｍ−１）あるとされている。さらに、非特許文献２には、油脂の劣化度を評価するために近赤外光（波長：８００〜２５００ｎｍ、波数：４０００〜１２５００ｃｍ−１）の透過スペクトルを利用することが記載されている。
【先行技術文献】
【特許文献】
【０００６】
【特許文献１】特許第５７４８８９７号公報
【非特許文献】
【０００７】
【非特許文献１】Y.B.C. Man, M.M. Moh, J. Am. Oil Chem. Soc., 75, 557 (1998).
【非特許文献２】Tamada et al., Evaluation of oil deterioration during deep-fat frying by near infrared spectroscopy, "Proceeding of the Japan-Thailand Joint Symposium on Nondestructive Evaluation Technology, " pp. 244-245 (2004)
【発明の概要】
【発明が解決しようとする課題】
【０００８】
上述したように、近赤外分光法は、近年、食品分野においても利用されるようになっているが、フライ油のような複雑な系を迅速かつ正確に分析する技術に関しては具体的な報告はない。近赤外分光法による分析は、評価指標の化学分析値とＮＩＲスペクトルとの相関関係に基づいて検量モデル（検量線）を構築しておく必要があり、フライ油のように複雑な系の劣化を近赤外分光法によって分析することについては、これまでに十分な検討はなされていない。
【０００９】
例えば、上述の先行技術文献に係る技術はいずれも単一の油脂を分析するものであり（特許文献１：米油、非特許文献１：パーム油、非特許文献２：植物油）、分析対象がシンプルで評価しやすいものである。フライ油は複数種類の油脂や乳化剤、抗酸化剤等がブレンドされていることが多いため、系が複雑であるだけでなく、油ちょうの際の揚げ種も複数種類となり、水分や熱などによる劣化のメカニズムも複雑である。さらに、調理加工の現場などにおける実用性を考慮すると、近赤外光の広い波数領域での測定が必要であると分析装置の小型化が難しいため、狭い波数領域の測定のみでフライ油の分析が可能な技術が望ましい。
【００１０】
このような状況に鑑み、本発明の課題は、フライ用油脂組成物を簡便かつ迅速に、高精度で分析する技術を開発することである。特に本発明は、フライ用油脂組成物の油ちょうによる劣化度合いを簡便かつ迅速に、高精度で測定する技術を提供することを課題とする。
【課題を解決するための手段】
【００１１】
これに限定されるものではないが、本発明は下記の態様を包含する。
（１）  フライ用油脂組成物の油ちょうによる劣化度合いを評価する方法であって、フライ用油脂組成物のサンプルについて、４５００〜４９００ｃｍ−１の全部または一部の波数領域における近赤外分光スペクトルを測定する工程、４５００〜４９００ｃｍ−１の全部または一部の波数領域における近赤外分光スペクトルを用いてあらかじめ作成しておいた検量モデルに基づいて、測定した近赤外分光スペクトルからフライ用油脂組成物サンプルの酸価を算出する工程、を含む、上記方法。
（２）  前記フライ用油脂組成物が、２種以上の油脂を含んでなる、（１）に記載の方法。
（３）  透過法によって近赤外分光スペクトルを測定する、（１）または（２）に記載の方法。
（４）  前記検量モデルが、油脂組成の異なる複数のフライ用油脂組成物について、劣化度合いの異なる複数のサンプルの近赤外分光スペクトルを４５００〜４９００ｃｍ−１の全部または一部の波数領域において測定するとともに、同じサンプルについて理化学的に酸価を定量した上で、測定した近赤外分光スペクトルデータと定量した酸価とから作成されるものである、（１）〜（３）のいずれかに記載の方法。
（５）  ４６００〜４８００ｃｍ−１の全部または一部の波数領域において近赤外分光スペクトルを測定する、（１）〜（４）のいずれかに記載の方法。
（６）  劣化度合いを評価するフライ用油脂組成物から揚げかすを除いてから近赤外分光スペクトルを測定する、（１）〜（５）のいずれかに記載の方法。
（７）  フライ用油脂組成物の油ちょうによる劣化度合いを評価する装置であって、フライ用油脂組成物のサンプルについて、４５００〜４９００ｃｍ−１の全部または一部の波数領域における近赤外分光スペクトルを測定する分光分析部、４５００〜４９００ｃｍ−１の全部または一部の波数領域における近赤外分光スペクトルを用いてあらかじめ作成しておいた検量モデルに基づいて、測定した近赤外分光スペクトルからフライ用油脂組成物サンプルの酸価を算出する計算部、を備えた、上記装置。
【発明の効果】
【００１２】
本発明によれば、フライ用油脂組成物の劣化度合いを簡便かつ迅速に、高精度で分析することができる。特に本発明によれば、フライ用油脂組成物の酸価などを簡便かつ迅速に測定できるため、フライ用油脂組成物の油ちょうによる劣化度合いを評価することができる。本発明によれば測定装置を小型化し、短時間でフライ用油脂組成物を分析できるため、調理加工の現場であっても、簡便かつ迅速に良好な精度で、使用中、または使用された油脂組成物の酸価などの指標を測定し、フライ用油脂組成物の適正管理ができる。
【図面の簡単な説明】
【００１３】
【図１】図１は、実験１に係る各種フライ用油脂組成物に関して、本発明によって予測した酸価と理化学的に分析した酸価との関係を示すグラフである（縦軸：本発明によって予測した酸価、横軸：理化学的に分析した酸価）。
【図２】図２は、実験１に係る各種フライ用油脂組成物について測定した近赤外スペクトルについて、波数が４７００ｃｍ−１近辺のデータを重ね合わせたグラフである（縦軸：透過率、横軸：波数）。
【図３】図３は、実験１に係る各種フライ用油脂組成物の酸価に関して、波数と回帰係数の関係を示すグラフである（縦軸：回帰係数、横軸：波数）。
【図４】図４は、実験２に係る各種フライ用油脂組成物に関して、本発明によって予測した酸価と理化学的に分析した酸価との関係を示すグラフである（縦軸：本発明によって予測した酸価、横軸：理化学的に分析した酸価）。
【発明を実施するための形態】
【００１４】
本発明は、一つの態様において、フライ用油脂組成物の劣化度合いを評価する方法に関する。本発明は、フライ用油脂組成物のサンプルについて、４５００〜４９００ｃｍ−１の全部または一部の波数領域における近赤外分光スペクトルを測定する工程、あらかじめ作成しておいた検量モデルに基づいて、測定した近赤外分光スペクトルからフライ用油脂組成物の酸価を算出する工程、を含む。
【００１５】
フライ用油脂組成物（フライ油）
本発明においてフライ用油脂組成物（フライ油）とは、油ちょう（フライ）に用いられる油脂組成物である。本発明に係るフライ用油脂組成物は、１または複数の食用油脂を含んでなり、食用油脂は、特に限定されるものではなく、植物由来であるか、動物由来であるか、また、合成品であるかも問わない。本発明によれば、１種類の油脂からなるフライ用油脂組成物はもちろん、複数の油脂を含んでなるフライ用油脂組成物であっても精度よく迅速に分析することが可能である。食用油脂としては、例えば、大豆油、菜種油、キャノーラ油、コーン油、ひまわり油、紅花油、とうもろこし油、綿実油、ごま油、シソ油、亜麻仁油、落花生油、オリーブ油、ブドウ種子油、マカデミアナッツ油、ヘーゼルナッツ油、カボチャ種子油、クルミ油、椿油、茶実油、エゴマ油、ボラージ油、米糠油、小麦胚芽油、パーム油、パーム核油、ヤシ油、カカオ脂、牛脂、豚脂、鶏脂、乳脂、魚油、アザラシ脂、藻類油などを単独または組み合わせて使用することができる。好ましい食用油脂としては、大豆油、菜種油、コーン油、パーム油、オリーブ油、ごま油などの植物油を挙げることができる。また、水素添加油脂、グリセリンと脂肪酸のエステル化油、エステル交換油、分別油脂なども適宜使用することができる。さらに、遺伝子組換えの技術を用いて品種改良した植物から抽出したものであってもよい。
【００１６】
本発明に係る油脂組成物は、必要に応じて通常用いられる添加剤を添加することができる。前記添加剤としては、保存安定性向上、酸化安定性向上、熱安定性向上、低温下での結晶抑制等を目的としたものであって、例えば、レシチン、グリセリン脂肪酸エステル、ポリグリセリン脂肪酸エステル、ショ糖脂肪酸エステル、ソルビタン脂肪酸エステル、ポリソルベート等の乳化剤、トコフェロール、アスコルビン酸脂肪酸エステル、リグナン、茶抽出物、コエンザイムＱ、オリザノール等の抗酸化剤、β−カロテン等の色素、香料、シリコーンなどが挙げられる。本発明の油脂組成物は、乳化剤等の添加剤が添加されていてもよく、乳化剤等の添加剤が無添加でもよい。
【００１７】
本発明においてフライ用油脂組成物は、好ましくは濾過などの前処理を施した後、近赤外分光分析（ＮＩＲ）に供される。フライ用油脂組成物の前処理としては、例えば、固液分離、希釈／抽出、冷却／加熱などの処理が挙げられる。固液分離については、例えば、濾紙やフィルターなどを用いて油脂組成物から固形物を濾別したり静置によって固形物と分離させたりするものであり、希釈および抽出については、各種溶媒を用いて油脂組成物を処理するものである。分析対象であるフライ用油脂組成物に異物や水分が多く含まれる場合、これらをあらかじめ除去して試料を均質な状態にしておくことによって分析の精度を高めることができる。冷却および加熱は、分析に適した温度に油脂組成物を調整するものである。
【００１８】
本発明に係るフライ用油脂組成物とは、油ちょうに用いられる油脂組成物であるが、油ちょうは、食用油脂を用いる調理法の一つで、日常的に幅広く用いられるものである。油ちょう製品とは、天ぷら、から揚げ、とんかつ、コロッケ、さつま揚げ、即席麺、揚げせんべい、かりんとう、フライドポテト、ドーナツなど多くのものがあり、油ちょうを実施する場所も、一般家庭はもちろん、スーパーなどの店舗のバックヤード、飲食店などの厨房、大規模な食品工場など、多くの場所が挙げられる。
【００１９】
一般に、フライ用油脂組成物は、特にスーパーなどの店舗のバックヤード、飲食店などの厨房、食品工場などにおいては連続して使用されることが多く、フライ作業終了後に、揚げ種に吸収されて減少した分の油を継ぎ足しながら使用される（この操作を「差し油」、「足し油」などという）。一般にフライ用油脂組成物は、酸価が２．５程度に達するまで、油を継ぎ足しながら連続して使用されるため、フライ用油脂組成物の劣化度合いを管理することが重要になる。フライ用油脂組成物の管理は、測定された劣化指標から、フライ用油脂組成物の劣化度合いを判定することにより行われる。フライ用油脂組成物の劣化度合いは、数値で表示してもよいし、数値以外の方法で表示してもよい。例えば、色（赤、黄、青など）や形状やマーク（○、△、×など）などにより、劣化度合いをわかり易く表示して管理することもできる。また、フライ用油脂組成物の管理は、個々の測定装置に劣化度合いを表示して個別に行うこともできるし、得られた測定データをパソコンなどへ送ることによってフライヤーごとや店舗ごとなど、多量のデータを一括管理することも可能である。
【００２０】
また、フライ用油脂組成物による調理は、少なくとも１００℃以上に加熱したフライ用油脂組成物に揚げ種（原料）を入れて行われ、揚げ種中の水分は油から蒸発熱を受けて水蒸気となって蒸発する。油ちょうにおいては、熱や酸素による酸化反応と、油ちょうによる水分と熱による加水分解反応とが複合的に重なり合い、劣化が複雑に進行する。揚げ種の一部は、本体から離れて細かい粒子となり、長く油中に留まって揚げかすとして存在するが、これもフライ用油脂組成物の分析が難しくなる要因の一つである。
【００２１】
近赤外スペクトルの測定と劣化度合いの評価
本発明においては、フライ用油脂組成物に必要に応じて前処理を施した上で、ＮＩＲスペクトルを測定する。ＮＩＲスペクトルの測定方法は特に限定されないが、透過反射法または透過法によって測定することが好ましく、試料によって使い分ければよい。一般に近赤外分光法では、粉体や固体の分析に適した拡散反射法、液体の分析に適した透過反射法または透過法があるが、本発明に係るフライ用油脂組成物は液体状態で測定するため、透過反射法または透過法によることが好ましい。試料が比較的透明であれば透過法、着色が強く、光を透過しにくい液体試料の場合は透過反射光によって測定することが多い。フライ用油脂組成物は、油ちょうによって油脂が着色したり、光散乱成分が混入したりするため、透過反射法を選択することが考えられるが、省スペース化を図るために透過法を選択することも好ましい。
【００２２】
本発明においてＮＩＲスペクトルを測定する際の測定セルは特に限定されない。測定試料や測定法、測定するシチュエーションに応じて使い分ければよいが、オフライン（off line）分析だけではなく、アットライン（at line）、オンライン（on line）、インライン（in line）などの形で実施してもよい。ＮＩＲスペクトルの測定は、試料を採取し分析室の近赤外分析計で測定することもできるが、調理加工の現場に近赤外分析計を持ち込みその場で測定することもできる。また油ちょう製品の製造ラインに近赤外分析計を組み込むことにより連続的に試料のＮＩＲスペクトルを測定することも可能である。
【００２３】
ＮＩＲスペクトルの測定には、市販の近赤外分光分析計を用いることができるが、透過光と拡散反射光を測定できるものが好ましく、液体測定モジュールを備えたものを好適に利用できる。また、測定セルの温度調節機能を備えたものがより好ましい。得られるスペクトルは、フーリエ変換スペクトルであることが好ましい。
【００２４】
温度によって試料の透明度が変化するような場合もあるため、ＮＩＲスペクトルの測定は一定の温度で行うことが好ましい。試料の粘度が高い場合には試料を入れた測定セルを加温して試料粘度を下げることが好ましい。本発明においては、５〜６０℃においてＮＩＲスペクトルを測定することが好ましく、１０〜５５℃においてＮＩＲスペクトルを測定することがより好ましく、１５〜５５℃においてＮＩＲスペクトルを測定することがさらに好ましく、２０〜５０℃においてＮＩＲスペクトルを測定することが最も好ましい。また、迅速に測定することを考慮すると、測定セルの厚さは薄いものが好ましく、例えば、０．５〜３０ｍｍであってよく、０．８〜２０ｍｍや１．０〜１０ｍｍが好ましい。
【００２５】
本発明においては、４５００〜４９００ｃｍ−１の波数領域の全部または一部について近赤外分光スペクトルが測定される。本発明においては、４５００〜４９００ｃｍ−１の波数領域において少なくとも５０ｃｍ−１以上の連続した波数領域のスペクトルを測定することが好ましく、１００ｃｍ−１以上の連続した波数領域のスペクトルを測定することがより好ましい。また、本発明においては、４５００〜４９００ｃｍ−１の波数領域において３００ｃｍ−１以下の連続した波数領域のスペクトルを測定することが好ましく、２５０ｃｍ−１以下の連続した波数領域のスペクトルを測定することがより好ましい。測定する波数領域は、４５００〜４９００ｃｍ−１の波数領域内に１つのみを設定してもよく、複数設定してもよい。測定する波数領域の数を少なくしたり、波数領域を狭くした方が分光分析装置を小型化することができるため好ましく、例えば、好ましい態様において、４６００〜４８００ｃｍ−１の波数領域の全部または一部について近赤外分光スペクトルを測定してもよい。
【００２６】
近赤外スペクトルデータは、原スペクトルデータでもよいが、原スペクトルデータを加工したものを使用することが好ましい。データ加工の方法としては、例えば、１次微分、２次微分、３次微分などの多次微分、平滑化、スペクトルの減算、正規化、ＭＳＣ補正、標準化（ＳＮＶ補正）などが挙げられる。これらの加工方法は単独で用いても組み合わせて用いてもよい。中でも好ましい加工方法として、多次微分、平滑化、標準化を挙げることができる。
【００２７】
分析サンプルのＮＩＲスペクトルデータに対して、先に得られた検量モデルを適用することにより、酸価をはじめとする油脂組成物の劣化度合いを示す指標について予測値を算出することができる。ここでのスペクトルデータの解析と予測値（定量値）の算出は、市販のソフトウェアを使用して行うことができる。
【００２８】
本発明においては、上述のようにして得られた検量モデルに基づいて、特定の波数領域における分析サンプルのＮＩＲスペクトルデータからフライ用油脂組成物の劣化度合いを評価する。本発明によってフライ用油脂組成物の酸価を測定する場合、試料の酸価は０．０１〜８．０の範囲であることが好ましく、０．０１〜５．０の範囲であってもよい。
【００２９】
なお、本発明に係る方法は、他の分析法と併せて実施することも可能である。併せて実施する分析としては、例えば、ガスクロマトグラフィー（ＧＣ）、高速液体クロマトグラフィー（ＨＰＬＣ）や超高速液体クロマトグラフィー（ＵＰＬＣ）などの液体クロマトグラフィー（ＬＣ）、質量分析（ＭＳ）、フーリエ変換赤外分光分析（ＦＴ−ＩＲ）などの赤外分光分析（ＩＲ）、フーリエ変換核磁気共鳴分析（ＦＴ−ＮＭＲ）などの核磁気共鳴分析（ＮＭＲ）などが挙げられる。
【００３０】
また、一つの態様において、本発明は、フライ用油脂組成物の油ちょうによる劣化度合いを評価する装置に関する。本発明に係る装置は、分光分析部と計算部を少なくとも備えており、分光分析部において、フライ用油脂組成物のサンプルについて、４５００〜４９００ｃｍ−１の全部または一部の波数領域における近赤外分光スペクトルを測定し、計算部において、４５００〜４９００ｃｍ−１の全部または一部の波数領域における近赤外分光スペクトルを用いてあらかじめ作成しておいた検量モデルに基づいて、測定した近赤外分光スペクトルからフライ用油脂組成物サンプルの酸価を算出する。本発明においては、近赤外光のうち、４５００〜４９００ｃｍ−１という比較的狭い波数領域の分光スペクトルによって分析できるため、装置を小型化することが可能である。
【００３１】
本発明に係る装置は、評価結果を表示するための表示部や各種データを入力するための入力部など、一般的な分析装置が備えるような部位を有してよい。例えば、フライ用油脂組成物の劣化度合いを表示する場合、数値で表示してもよいし、数値以外の方法で表示してもよい。例えば、色（赤、黄、青など）や形状やマーク（○、△、×など）などにより、劣化度合いをわかり易く表示して管理することもできる。また、フライ用油脂組成物の管理は、個々の測定装置に劣化度合いを表示して個別に行うこともできるし、本発明に係る装置で得られたデータをパソコンなどへ送って、多量のデータを一括管理することも可能である。
【００３２】
検量モデルの作成
本発明においては、フライ用油脂組成物に関するＮＩＲスペクトルデータを基に多変量解析を行って、フライ用油脂組成物の劣化度合いを評価するための検量モデル（検量線）が作成される。多変量解析としては、ケモメトリクスに通常用いられる解析ツールを使用することができ、例えば、主成分分析（ＰＣＡ：principal component analysis）、階層クラスター分析（ＨＣＡ：hierarchical cluster analysis）、ＰＬＳ回帰分析（partial least squares regression）、判別分析（discriminate analysis）などの種々の多変量ツールを好適に使用できる。ＰＬＳ回帰分析では、部分最小二乗によって２群の変量間の関係が分析される。必要に応じて、スペクトルフィルタリング法、例えば、妨害成分を取り除くための直交シグナル補正と組み合わせて多変量解析を行ってもよい。これらの解析ツールは市販されており、任意のものが入手可能である。なお、多変量解析は、得られた全データではなく、品質予測に重要な一定の範囲のデータを選択して行ってもよい。例えば、ＮＩＲスペクトルのうち、一部の波数領域のデータのみを用いて分析することも可能である。
【００３３】
本発明においてはＰＬＳ回帰分析によって検量モデルを作成することが好ましいが、ＰＬＳ回帰分析は、変数（例えば、波数、波長）間に相関を有するスペクトルデータからの検量線作成に有効な手法である。一般に、変数間に相関があると、用いる変数の組み合わせによっては回帰精度が著しく低下するが、これを避けるためにＰＬＳ回帰分析では変数を互いに無相関な変数（潜在変数）に変換し、この潜在変数を用いて回帰を行う。すなわち、ＰＬＳ回帰分析とはデータの変数を直交変換し、その新たな変数を用いて重回帰分析を行う解析手法である。
【００３４】
検量モデルを得るためにＮＩＲスペクトルデータを取得する場合、分析サンプルのＮＩＲスペクトルデータを得る場合と同様にして取得することができる。すなわち、市販の近赤外分光分析計を用いてＮＩＲスペクトルを測定しスペクトルデータ、好ましくはフーリエ変換スペクトルデータを取得すればよい。スペクトルデータは、原スペクトルデータでもよいが、原スペクトルデータを加工したものを使用することが好ましい。なお、本発明は、フライ用油脂組成物に関するデータの蓄積により検量モデルが改善され、予測精度が上昇し得るものである。
【００３５】
解析に用いる波数領域のスペクトルデータと化学的に決定した指標（酸価などの実測値）とを多変量解析法に供することにより回帰式を得ることができる。スペクトルデータに内在するフライ用油脂組成物の劣化度合いと相関の高い因子について、この因子の回帰係数を用いてスペクトルデータからフライ用油脂組成物の劣化度合いを予測するための回帰式を作成する。近赤外分光法では、回帰式を作成後、回帰式を得るための試料以外の試料（評価用試料）を用いて、作成された回帰式の測定精度を評価する。回帰式の測定精度は評価用試料の実測値と作成した回帰式によって算出された予測値による分析値との差（測定誤差）の標準偏差や平均値によって評価することができる。
【実施例】
【００３６】
具体的な実験例に基づいて本発明をより詳細に説明するが、以下の実験例は本発明の一例を示したものであり、本発明は以下の実験例に限定されるものではない。また、特に記載しない限り、本明細書において、濃度や％は質量基準であり、数値範囲はその端点を含むものとして記載される。
【００３７】
実験１．フライ用油脂組成物の分析（その１）
複数種の油脂を含むフライ用油脂組成物について、近赤外スペクトルのデータからフライ用油脂組成物の劣化度合いを予測する技術について検討した。
【００３８】
（１−１）測定サンプル
下表に示す複数種の油脂を含む混合油にシリコーンを３ｐｐｍ添加したものを、数日間連続して油ちょうに使用した。具体的には、混合油を１日１０時間、１８０±５℃に加熱し、１時間あたり５個のコロッケを油ちょうした（フライ時間はコロッケ１つあたり約５分間）。フライに使用した混合油を１日ごとに１００ｍｌ採取し、静置して揚げかす等を除いたものを測定サンプルとした。混合油Ａ〜Ｃは検量線作成用のサンプルであり、混合油Ｄは本発明に係る分析法を評価するためのサンプルである。
【００３９】
【表１】
2018205226.tif 000003
【００４０】
上記サンプルについて、下記の理化学的方法によって、酸価、色相、油脂重合物を測定した。
・酸価（acid value）：基準油脂分析試験法（日本油化学会、２０１３年版）に基づいて中和滴定法によってサンプルの酸価を測定した。下表に示すように、測定サンプルの酸価は０．０５〜３程度であった。
・色相：基準油脂分析試験法（日本油化学会、２０１３年版）に基づいてロビボンド比色計を用い、１インチセルにてサンプルの色を分析した（Ｒ値：赤、Ｙ値：黄、Ｂ値：青）。その分析値を「Ｙ値＋１０×Ｒ値」として数値化し、評価した。
・油脂重合物：基準油脂分析試験法（日本油化学会、２０１３年版）に基づいてゲル浸透クロマトグラフ法（ＧＰＣ法）を用いてサンプルの油脂重合物を評価した。ここでいう油脂重合物とは、ＧＰＣ法でトリアシルグリセリンよりも早く溶出するピークに係るものである。
【００４１】
【表２】
2018205226.tif 000004
【００４２】
（１−２）近赤外スペクトル（ＮＩＲスペクトル）の測定
測定セル（ガラスセル、厚さ：２ｍｍ）をサンプルで数回共洗いした後に、測定セルに測定サンプルを注ぎ入れた。下記の測定装置のＮＩＲ測定部位に測定セルを挿入し、温度を３５℃に維持して、４０００〜１００００ｃｍ−１における近赤外スペクトルを透過法により取得した。
（測定装置）
・卓上型近赤外分析計（Buchi社、NIRFlex N-500  液体測定モジュール）
・光源：ハロゲンランプ
・干渉計：ＴｅＯ２偏光干渉計
・検出器：ＩｎＧａＡｓ（ペルチェ温調）
・分解能：８ｃｍ−１
・制御可能温度：１０〜６５℃
得られたスペクトルデータに対して、コンピュータを用いて前処理として「２次微分」「標準化（ＳＮＶ補正）」「平滑化」を行った。
・２次微分：スペクトルのピーク強度変化に基づいてベースラインを補正するもの。
・標準化（ＳＮＶ補正）：各波数のスペクトル強度の平均値を基準とし、その基準との強度差でスペクトルの縦軸を表現するもの。標準化によって、スペクトル間のベースラインによる変動を補正することができる。
・平滑化：スムージング（９点平滑化）処理を行うもの。測定装置の性能などに由来するランダムなノイズの影響を抑制することができる。
【００４３】
（１−３）検量モデルの作成と酸価の算出
混合油Ａ〜Ｃについて得られたスペクトルデータを用いて種々の検量モデルを作成し、酸価を高精度で予測する方法について検討した。具体的には、検量モデル作成に用いる波数領域を変化させてＮＩＲスペクトルから酸価を算出し、どのような波数領域のデータを用いると酸価を高精度で予測できるのかをコンピュータを用いて調べた。
【００４４】
検量モデル作成に用いた波数領域は以下のとおりである。なお、（ｆ）は非特許文献１（Y.B.C. Man, M.M. Moh, J. Am. Oil Chem. Soc., 75, 557, 1998）、（ｇ）は非特許文献２（Tamada et al., Proceeding of the Japan-Thailand Joint Symposium on Nondestructive Evaluation Technology, pp. 244-245, 2004）にそれぞれ記載されていた波数領域であり、３つの波数領域におけるＮＩＲスペクトルデータから検量モデルを作成して酸価を算出した。
（ａ）  ４０００〜１００００ｃｍ−１
（ｂ）  ４０００〜８０００ｃｍ−１
（ｃ）  ４０００〜６０００ｃｍ−１
（ｄ）  ４５００〜４９００ｃｍ−１
（ｅ）  ４６００〜４８００ｃｍ−１
（ｆ）  ４８８２〜４９２２ｃｍ−１、４９５５〜４９９５ｃｍ−１、５２９３〜５３３３ｃｍ−１
（ｇ）  ４５４６〜４５８６ｃｍ−１、４６４６〜４６８６ｃｍ−１、８４５５〜８４９５ｃｍ−１
混合油Ａ〜ＣのデータからＰＬＳ回帰分析によって定量モデルを構築して酸価の検量モデルを作成し、作成した検量モデルに基づいて、混合油Ｄに関して測定したＮＩＲスペクトルから酸価を算出した。検量モデルを用いて算出した酸価（検量モデルによる算出値）と理化学的分析により実測した酸価（理化学的分析値）から算出される予測標準誤差（ＳＥＰ）を以下に示す。
【００４５】
なお、予測標準誤差（ＳＥＰ）は、下式で与えられるものであり、各評価用サンプルの検量モデルによる算出値と理化学的分析値の差（絶対値）の合計が小さいほど予測標準誤差（ＳＥＰ）は小さくなる。
［Σ｛（検量モデルによる算出値）−（理化学的分析値）｝２／（サンプル数）］１／２
下表に示すように、４５００〜４９００ｃｍ−１や４６００〜４８００ｃｍ−１の波数領域を選択した場合に測定精度が極めて高くなることが確認された。すなわち、広い範囲のＮＩＲスペクトルデータから検量モデルを作成した場合（実験ａ：４０００〜１００００ｃｍ−１、実験ｂ：４０００〜８０００ｃｍ−１、実験ｃ：４０００〜６０００ｃｍ−１）と比較して、本発明によれば、狭い範囲のＮＩＲスペクトルデータから、使用済みのフライ用油脂組成物の酸価を高い精度で測定できることが明らかになった（実験ｄの予測標準誤差：０．１２、実験ｅの予測標準誤差：０．１１）。４６００〜４８００ｃｍ−１の波数領域のデータを用いた場合（実験ｅ）について、その結果を表４および図１に示すが、検量線の相関係数が高く（Ｒ２＝０．９８７）、予測の精度が極めて優れていた（予測標準誤差：０．１１）。
【００４６】
実験ｆや実験ｇのように複数の波数領域のデータを用いる場合と比較しても、本発明によれば、狭い範囲のＮＩＲスペクトルをピンポイントで測定するだけでフライ用油脂組成物の酸価を極めて高い精度で算出することができた。特に本発明は、広い波数領域のデータを測定したり、複数の波数領域のデータを測定したりする必要がないため、本発明によれば、簡便かつ迅速にフライ用油脂組成物の酸価を測定することができる。
【００４７】
一般に、油脂の酸度を調理現場などにおいて簡便に測定する方法として酸価試験紙を用いる方法が知られているが、酸価試験紙では、酸度を０．５〜１．０程度の精度でしか評価することができないため、測定精度は本発明の方が格段に優れているといえる。特に、複数種の油脂や添加剤が配合されたフライ用油脂組成物に対しても、本発明によれば、近赤外分光法を用いて高精度かつ簡便に油脂の劣化度合いを評価することができた。
【００４８】
【表３】
2018205226.tif 000005
【００４９】
【表４】
2018205226.tif 000006
【００５０】
（１−４）油ちょうによるフライ用油脂組成物の劣化とＮＩＲスペクトルの関係
油ちょうによるフライ用油脂組成物の劣化とＮＩＲスペクトルの関係について検討した。図２に示すように、フライ試験に用いたフライ用油脂組成物のスペクトルデータ（透過率）を比較したところ、油ちょうによって、４６００〜４８００ｃｍ−１の波数領域において、フライ用油脂組成物のスペクトルが特に大きく変化することがわかった。この波数領域は、Ｃ＝Ｃ、Ｏ−Ｈ、Ｃ−Ｈの結合音に起因するスペクトルが観察される波数領域であり、油脂の劣化によって遊離脂肪酸量や油脂重合物量が変化したことがスペクトル変化として現れたものと考えられる。
【００５１】
また、前処理を施したスペクトルデータを用いて多変量解析を行った。具体的には、ＰＬＳ回帰分析に基づいて、主成分分析により得られる主成分を説明変数として選定し、目的変数（酸価）を参照して判断した。通常の主成分回帰分析（ＰＣＲ：principal components regression）と比較して高い予測精度が得られ、ＰＬＳ回帰分析の際に算出される回帰係数も検量モデル作成時の考察に有効なためである。ここで、回帰係数とは説明変数として選定された主成分から目的変数を計算するための係数であり、回帰係数の絶対値が大きいほど波数成分の寄与が大きいことを示す。
【００５２】
ＰＬＳ回帰分析によってＮＩＲスペクトルと酸価の関係を解析したところ、４６００〜４８００ｃｍ−１の波数領域において回帰係数の絶対値が高くなることが分かった。すなわち、油脂の劣化の指標として用いられる酸価が、４６００〜４８００ｃｍ−１の波数領域のスペクトル変化と深く関わっていることが確認された（図３）。
【００５３】
実験２．フライ用油脂組成物の分析（その２）
複数種の油脂を含むフライ用油脂組成物について、近赤外スペクトルのデータからフライ用油脂組成物の劣化度合いを予測する技術について検討した。この実験では、多種の揚げ物を油ちょうしたフライ用油脂組成物であって、実験１よりも劣化度合いの大きいフライ用油脂組成物について、近赤外スペクトルを用いた分析を検討した。
【００５４】
（２−１）測定サンプル
実験１で用いた混合油Ａ〜Ｃに加えて、多種の揚げ物を油ちょうしたフライ用油脂組成物（混合油Ｅ〜Ｆ）を用いて検量モデルを作成した。具体的には、下表に示す複数種の油脂を含む混合油にシリコーンを３ｐｐｍ添加したものを、数日間連続して油ちょうに使用して、多種の揚げ物（天ぷら、から揚げ、とんかつ、コロッケ、野菜の素揚げなど）を製造した。混合油Ｅ〜Ｆは、いずれも検量線作成用のサンプルであり、混合油Ｅは約７日間、混合油Ｆは約４日間油ちょうに使用したサンプルである。一方、混合油Ｇ〜Ｈは、本発明に係る分析法を評価するためのサンプルであり、約４日間、多種の揚げ物（天ぷら、から揚げ、とんかつ、コロッケ、野菜の素揚げなど）を油ちょうした後のサンプルである。なお、本実験においても、実験１と同様に、静置して揚げかす等を除いたものを測定サンプルとした。
【００５５】
【表５】
2018205226.tif 000007
【００５６】
ここで、混合油Ｅ〜Ｈについて、実験１に記載した方法によって、理化学分析による酸価と色相を測定した結果を下表に示す。下表に示すように、サンプルの酸価は７程度までであった。
【００５７】
【表６】
2018205226.tif 000008
【００５８】
（２−２）近赤外スペクトルの測定と検量モデルの作成
実験１と同様にして、混合油Ｅ〜Ｈについて近赤外スペクトルを透過法により測定した。次いで、混合油Ａ〜Ｃおよび混合油Ｅ〜Ｆのデータから、実験１と同様にして、４６００〜４８００ｃｍ−１の波数領域のスペクトルに基づいて酸価の検量モデルを作成した。
【００５９】
（２−３）検量モデルに基づく酸価の算出
作成した検量モデルに基づいて、混合油Ｇ〜Ｈに関して測定したＮＩＲスペクトルから酸価を算出した。結果を下表に示すが、ＮＩＲスペクトルから算出した酸価の予測値と理化学分析値の差は０．２％以内であり、本発明によって酸価を高精度に測定できることが分かった（図４、相関係数Ｒ２＝０．９９０）。
【００６０】
【表７】
2018205226.tif 000009
【図１】
2018205226.tif 000010
【図２】
2018205226.tif 000011
【図３】
2018205226.tif 000012
【図４】
2018205226.tif 000013